(57)【要約】【課題】インクが配置され、かつ少なくとも２つの実質的に閉鎖されたダクトを有するインクジェットプリンタを制御する方法を提供する。【解決手段】第１のダクト内の圧力が上昇するように電気機械的トランスデューサを作動させるステップを含み、該作動で他のダクト内の圧力変化も生じ、さらに、圧力変化の結果として１つの電気機械的トランスデューサが変形し、そのようなトランスデューサが電気信号を発生するステップと、該電気信号を測定するステップとを含む。【選択図】　　　図３
2004034700.tif 000002
【特許請求の範囲】
【請求項１】
インクが配置され、かつ実質的に閉鎖された少なくとも２つのダクトを有するインクジェットプリンタを制御する方法であって、
第１のダクト内の圧力が上昇するように電気機械的トランスデューサを作動させるステップを含み、前記作動で他のダクト内の圧力変化も生じ、前記方法がさらに、
前記圧力変化の結果として１つの電気機械的トランスデューサが変形し、該電気機械的トランスデューサが電気信号を発生するステップと、
前記電気信号を測定するステップとを含むことを特徴とする方法。
【請求項２】
測定された電気信号に基づいて、他のダクトからインク滴を噴射するのに適した時間が決定されることを特徴とする、請求項１に記載の方法。
【請求項３】
前記時間は、他のダクト内の圧力変化が、前記他のダクト内での滴の形成にあまり影響を及ぼさないように選択されることを特徴とする、請求項２に記載の方法。
【請求項４】
各々のダクトが、独自の電気機械的トランスデューサを有することを特徴とする、請求項１から３のいずれか一項に記載の方法。
【請求項５】
インクを保持するための実質的に閉鎖された少なくとも２つのダクトを有するインクジェットプリントヘッドであって、
インク滴を前記ダクトの出口から噴射できるように、第１のダクト内の圧力が上昇可能であるように電気機械的トランスデューサを作動させる作動回路を備え、該作動によって圧力変化が他のダクト内でも生じ、前記インクジェットプリントヘッドがさらに、
他のダクト内での圧力変化による１つの電気機械的トランスデューサの変形の結果、該電気機械的トランスデューサによって発生可能である電気信号を測定するための測定回路を備えることを特徴とするインクジェットプリントヘッド。
【請求項６】
請求項５に記載のインクジェットプリントヘッドを備えるインクジェットプリンタ。
【発明の詳細な説明】
【技術分野】
【０００１】
本発明は、インクが配置され、かつ実質的に閉鎖された少なくとも２つのダクトを有するインクジェットプリンタを制御する方法に関し、第１のダクト内の圧力が上昇するように電気機械的トランスデューサを作動させるステップを含み、該作動で他のダクト内の圧力変化も生じる。本発明はさらに、この方法を利用するのに適したインクジェットプリントヘッド、およびこの種類のプリントヘッドを備えたインクジェットプリンタに関する。
【背景技術】
【０００２】
この種類の方法は、欧州特許第０７９０１２６号から知られている。この知られている方法では、ダクト板を備えたインクジェットプリンタ用のプリントヘッドが用いられ、ダクト板は、幾つかの平行な溝が長手方向に形成され、各溝が出口またはノズルで終端している。ダクト板は、溝が実質的に閉鎖されたインクダクトを形成するように可撓板によってカバーされる。幾つかの電気機械的トランスデューサが、ダクトの可撓板に備えられ、各ダクトが、これらのトランスデューサのうちの１つまたは複数と対面するようにされている。この場合は圧電トランスデューサであるトランスデューサには、電極が備えられている。この種類の圧電トランスデューサの電極の両端間に作動パルスの形式の電圧が印加されると、それによってトランスデューサが結合されるダクト方向に急激に変形するので、そのダクト内の圧力は急激に上昇する。その結果、インク滴がノズルから噴射される。
【０００３】
ダクト板から離間した側で、トランスデューサは、キャリヤ部材によって支持されている。プリントヘッドは、キャリヤ部材を可撓板を介してダクト板に連結する幾つかの連結部材をも備えている。これらの連結部材はプリントヘッドの機械的強度を高める役割を果たすので、印加された作動パルスによってさらに必要な圧力上昇が常に生じ、それにより必要な滴の噴射、すなわち例えば予め判明しているサイズ、および／または予め判明している速度を有する滴の噴射をもたらす。
【０００４】
しかし知られている方法には、重大な欠点がある。頑強な構造にもかかわらず、第１のダクトの圧電トランスデューサの作動が、他のダクト、特に隣接するダクト内の位置で影響を及ぼすことを完全には防止することはできない。その理由は、作動によって、圧電トランスデューサが膨脹するので、機械的な力がキャリヤ部材に伝達されるからである。キャリヤ部材は、次に、他のダクトの圧電トランスデューサに連結されているので、これらの力は他のダクトのトランスデューサに伝達される。これらのトランスデューサの機械的作動によって、他のダクト内での圧力変化を生じ、この圧力変化は隣接するインクダクトでは特に顕著である。多くの場合、この圧力変化は、隣接するダクトが、第１の圧電トランスデューサが電気的に作動されるダクトに近いほど大きくなる。この圧力変化の結果、この種類の他のダクトでの滴噴射プロセスに影響がでる。これはクロストークとも呼ばれ、滴サイズ、滴速度、噴射時間等の偏差として顕在化することがある。このような偏差は、最終的には、偏差の性質に応じて視認できる程度に変化する印刷のアーティファクトを生じる。
【０００５】
【文献１】
欧州特許第０７９０１２６号明細書
【文献２】
欧州特許出願公開第１０１３４５３号明細書
【考案の開示】
【発明が解決しようとする課題】
【０００６】
本発明は、上記の問題点をなくすことを目的とする。
【課題を解決するための手段】
【０００７】
この目的のため、請求項１のプリアンブルに記載の方法が発明され、圧力変化の結果として１つの電気機械的トランスデューサが変形し、該電気機械的トランスデューサが電気信号を発生するステップと、該電気信号を測定するステップとをさらに含むことを特徴とする。
【０００８】
本発明による方法は、他のダクト内での圧力変化の結果、前記他のダクトに動作可能に連結された１つの電気機械的トランスデューサが変形するという事実を利用したものである。実際には、トランスデューサは、他のダクトの作動の結果としての１つのダクト内の圧力変化を記録するためのセンサとして使用される。この「センサ」トランスデューサは、例えば、隣接するダクトの正常なの制御用に存在する電気機械的トランスデューサと同じ電気機械的トランスデューサでよいであろう。センサトランスデューサの変形の結果、前記トランスデューサによる電気信号の発生がなされる。本発明による方法で測定されるのは、まさにこの信号である。この信号は、クロストークの程度に関する明確な情報を与える。信号が極めて強い場合は、クロストークの作用はかなりなものである。これによって例えば、他のダクトが印刷しない作用を有することがあり、印刷のアーティファクトが生じることがある。信号が極めて弱いものに過ぎない場合は、他のダクトに対する影響が、例えあっても実質的にはないので、このようなダクトで通常通りの印刷を実施できることを意味している。本発明による方法を用いることによって、クロストークを常に感知できないレベルまで低減できるので、印刷品質には影響がない。
【０００９】
欧州特許出願公開第１０１３４５３号は、インクダクトの状態を測定するセンサとして、電気機械的トランスデューサが使用される方法を開示している。この方法では、作動パルスの終了後、トランスデューサが、同じダクト内の圧力波を測定するセンサとして使用される。この知られている方法は、制御されるダクトの状態をチェックするために使用されるので、何らかの補修動作を実施すべきか否かを決定することが可能である。この出願からは、特定のダクト内での電気機械的トランスデューサの作動後に、他のダクト内の圧力変化を測定することは知られていない。したがって、この方法は、前述の知られている方法よりも本発明との関連は小さい。
【００１０】
本発明の方法の一実施形態では、隣接するダクトからのインク滴の噴射に適した時間は測定された信号に基づいて決定される。測定された信号に基づいて、隣接するダクトから滴を噴射するのに適した時間を見い出すことが可能であることが判明している。隣接するダクト内の圧力変化は、減衰された正弦波と同じである圧力波の形状を有することがある。したがって、隣接するダクト内の圧力変化が、そのダクト内でのいずれかの滴の噴射に及ぼす影響は一定ではない。このような影響は、時間によって変化し、圧力波が完全に減衰した場合に、最終的にゼロまで低減する。圧力波が完全に減衰する前に、圧力変化の影響が、印刷された画像に視認できるアーティファクトを生じないようなものである時間が、１回または複数回あることが判明している。これらの時間は、隣接するダクトからインク滴を噴射するのに適している。これらの時間は経験的に決定できる。これは単に、クロストークを開始し、例えば隣接するダクトから滴を噴射し、その後、特定時間の後に実際のダクトから噴射することによって行うことができる。クロストークの影響も、印刷されたインク滴を分析することによって判定することができる。このことを数回繰り返すことによって、クロストークの実効的な影響を測定された電気信号の関数として判定することができる。これをメモリに記憶することによって、測定された信号が、クロストークによる明確な影響を受けないものと予期される時間を確定することが常に可能である。
【００１１】
下記の実施形態では、時間は、隣接するダクト内での圧力変化が、そのダクト内での滴の形成に明確な影響を及ぼすことがないように選択される。この実施形態は、前述の１回または複数回の時間が、「ゼロ交叉」時間、すなわち圧力変化が滴の形成に明確な影響を及ぼさない時間であるという事実を利用したものである。このことは、滴の本質的な特性、特に滴の速度、滴のサイズ、滴の形状、および（トランスデューサの作動時間に対して）滴が形成される時間が、それほど影響されないことを意味している。その結果、認知できるような印刷アーティファクトが予測されない、それ自体が圧力噴射プロセスを与える時間での作動がなされる。簡単な実験によって、例えば（クロストークを引き起こす）隣接するダクトの作動に対する作動時間の関数としての滴の前記の本質的な特性をそれぞれ測定することによって、この種類のゼロ交叉を決定することができる。
【００１２】
本発明の方法の一実施形態では、各々のダクトごとに別個の電気機械的トランスデューサが使用される。この種類の方法は、独自の電気機械的トランスデューサによって各ダクトを作動させることができ、必要ならば同じ電気機械的トランスデューサで測定できるので有利である。それによって個々のダクトの作動、およびダクト内の圧力変化に応答してトランスデューサによって発生される電気信号の測定が簡略になる。
【００１３】
クロストークは、ダクト内の圧力が、インク滴の噴射を引き起こすような範囲まで上昇した場合だけに発生するものではないことに留意されたい。他のダクト内での圧力変化も、インク滴の噴射に向けられる作動ではなく、例えばインクダクトの修復、または電気機械的トランスデューサの動作チェック、またはダクトへのインクの充填等の異なる種類の作動の結果であることがある。これは、次に、前記他のダクト内での滴噴射プロセスにかなりの影響を及ぼし、クロストークが存在することがある。
【００１４】
ちなみにクロストークは、隣接するダクトに限定されるのではなく、インクジェットプリンタの構造に応じて、より長時間にわたって顕著であることがある。例えば、各々の列が別個に制御される、幾つかのノズル列を有するインクジェットプリントヘッドでは、１つの列内のダクトの制御が、他の列のダクトの制御に影響を及ぼすことが判明している。本発明による方法を利用することによって、この影響の作用を低減し、除去することさえも可能である。
【００１５】
本発明による方法は、様々な方法で実施できる。例えば、インクジェットプリンタの製造中に、本発明によって測定を実行し、クロストークの作用を低減するのに適した特定の時間を決定することができる。さらに、例えば特定のプリンタのローディング後、またはプリンタにメインテナンスが施される時に、既存のインクジェットプリンタにこのような測定を定期的に繰り返すことも可能である。例えばプリンタが製造される材料の老化によるプリンタの漸次的な変化によって、クロストークが作用を及ぼさない時間が異なるという結果を招くことがある。これらの時間を定期的に決定することによって、本発明による方法を常に最適に利用することが可能である。別の実施形態では、１つのダクトの作動が隣接するダクトに及ぼす作用が測定され、同時に、前記隣接するダクトからインク滴を噴射するのに適した時間が決定される。この種類のリアルタイムの実施は、先行技術から充分に知られているように、閉ループ制御を用いることによって実行可能である。
【発明を実施するための最良の形態】
【００１６】
ここで本発明を以下の例を参照して説明する。
【００１７】
図１
図１は、インクジェットプリンタを概略的に示している。この実施形態では、プリンタは、受け取り媒体２を支持し、これを４つのプリントヘッド１０に沿って移動させるローラ１を備えている。ローラ１は、矢印Ａで示されるように軸を支点に回転可能である。キャリッジ３は、４つのプリントヘッド１０を担持しており、各々がシアン、マゼンタ、イエロー、およびブラックの色用のものであり、二重矢印Ｂによって示された方向にローラ１と平行に往復移動可能である。このようにして、プリントヘッド１０は、受け取り媒体２を走査することができる。キャリッジ３は、ロッド４および５上を案内され、適宜の手段（図示せず）によって駆動される。図示した実施形態では、各々のプリントヘッド１０は、８つのインクダクトを備えており、その各々がローラ１の軸に対して垂直な想像線を形成する独自の出口１４を有している。印刷装置の実際の実施形態では、プリントヘッド１０当たりのインクダクトの数は大幅に多い。各インクダクトには、図３に関連して説明するように、圧電トランスデューサ（図示せず）と、関連する作動および測定回路（図示せず）とが備えられている。各プリントヘッドは、さらに作動パルス、すなわちパルスが発生する時間を適合させるための制御ユニットを含んでいる。このようにして、インクダクト、トランスデューサ、作動回路、測定回路、および制御ユニットが、インク滴をローラ１の方向に噴出する役割を果たすシステムを形成する。制御ユニット、および／または例えば作動および測定回路の全ての素子が、実際のプリントヘッド１０に物理的に組み込まれる必要は必ずしもない。さらに、これらの部品を、例えばキャリッジ３内に、またはプリンタのより離れた部品内に配置することすら可能であり、プリントヘッド１０自体内の構成部品への接続線がある。このように、これらの部品は、プリントヘッドに物理的に実際に組み込まれなくても、プリントヘッドの機能部品を形成する。トランスデューサが画像に関して作動されると、受け取り媒体２上に個々のインク滴から構成された画像が形成される。
【００１８】
図２
図２は、プリントヘッドを概略的に示している。図示されたプリントヘッド１０は、一列の出口１４と、幾つかの平行なインクダクト１６とを画定するダクト板１２を備えている。インクダクト１６のうち１つだけが、図２には見える。出口１４およびインクダクト１６は、ダクト板１２の上表面に溝をフライス加工することによって形成される。各々の出口１４は、結合されるインクダクト１６と連通している。インクダクトは、ダム１８によって互いに分離されている。
【００１９】
出口１４およびインクダクト１６は、ダクト板のダムに堅く連結された薄い可撓板２０によって上部が覆われている。幾つかの溝２２が、板２０の上部表面に形成され、インクダクト１６と平行に延び、リブ２４によって互いに分離されている。出口１４に隣接する溝２２の両端部は、板２０のエッジからやや偏倚している。
【００２０】
細長いフィンガ２６、２８の列が、プレート２０の上部表面に形成され、各フィンガが、インクダクト１６と平行に延在し、底端部でリブ２４の１つに連結される。フィンガは、３個の組にまとめられ、各３個の組のフィンガは、１個の中心フィンガ２８と２個の側方フィンガ２６とからなっている。各３個の組のフィンガは、上部が連結され、一体の圧電材料ブロック３０によって形成されている。各フィンガ２６は、これらのダクト１６の１つに属し、印刷信号に応じて電圧を印加できる電極（図示せず）が備えられている。これらのフィンガ２６は、印加電圧に応答して膨脹し、かつ垂直方向に収縮することで、板２０の対応部分が、結合されるインクダクト１６の内側方向に曲がるようなアクチュエータとしての役割を果たす、圧電トランスデューサである。その結果、（例えば水性インク、溶剤インク、またはホットメルトインクのような）インクダクト内にあるインクが、圧縮されるので、インク滴が出口１４から噴射される。中心フィンガ２８は、ダクト板のダム１８の上方に配置され、アクチュエータ２６の反力を受ける支持部材としての役割を果たす。例えば、同じブロック３０に属するアクチュエータ２６の一方または両方が膨脹すると、これらは、ブロック３０の上部に上向きの力をかける。この力は、その底端部が板のリブ２４を介してダクト板１２に堅く連結されている支持部材２８の引張り力によって大幅に補償される。
【００２１】
ブロック３０は、上部で互いに平坦に当接し、キャリヤ部材３２によって覆われている。キャリア部材３２は、インクダクト１６と平行に延在する幾つかの長手方向棒３４、および長手方向棒３４の両端を相互に連結する横棒３６（図１には１本の横棒だけが示されている）によって形成される。
【００２２】
支持要素２８は、必然的に特別の弾性を有しているので、１つのブロック３０の一方または双方のアクチュエータ２６の膨脹によって、支持要素２８の僅かな膨脹をも引き起こすので、キャリヤ部材３２は僅かに曲がる。この曲げ力は、隣接するブロック３０に伝達され、寄生音響波（クロストーク）が隣接するインクダクト内に形成される。この種類のクロストークは、特に隣接するブロック３０内の多数のアクチュエータが同時に作動されると、問題を引き起こすことがある。しかし、キャリヤ部材３２は、平行な側だけで横棒３６によって相互連結された別個の棒３４からなっているので、主として曲げ力は、それが発生したブロック３０に限定される。このようにして、クロストークは抑止されるが、それでもなお発生する可能性がある。図３に関連して（図２には示されていない）記載したような手段を用いることができる本発明による方法を採用することによって、クロストークの作用は、さらに低減でき、または完全に除去することさえ可能である。
【００２３】
図３
図３は、本発明による方法を使用できる回路図である。図３は第１のインクダクト（図示せず）に動作可能に連結された第１圧電トランスデューサ２６を示している。このトランスデューサは、パルス発生器４０によって制御可能である。第２圧電トランスデューサ２６’もまた示され、他のインクダクト（図示せず）、例えば第１のインクダクトに直接隣接するインクダクトに動作可能に連結される。第２圧電トランスデューサ２６’は、線４１を介して抵抗器４２とＡ／Ｄコンバータ４３とに接続されている。このコンバータは、次に、プロセッサ（図示せず）を備えた制御ユニット４４に接続されている。制御ユニット４４は、パルス発生器４７に信号を送ることができるＤ／Ａコンバータ４５に接続されている。制御ユニットは、線４６を介してプリンタの他の部品（図示せず）、特に中央プロセッサに接続されている。
【００２４】
本発明による方法が適用されると、以下のことが起こる。先ず、圧電トランスデューサ２６が、インク滴を第１インクダクトから噴射するように、パルス発生器４０を介して制御される。トランスデューサ２６にエネルギーが供給される結果、隣接するインクダクト内でも圧力変化が生じ、この圧力変化の結果、圧電トランスデューサ２６’が変形する。この変形の結果、トスデューサ２６’は、測定抵抗４２を経てアースへと流れる電流を発生する。このようにして測定抵抗４２の両端子間に得られる電圧は、Ａ／Ｄコンバータ４３に送られ、このＡ／Ｄコンバータは、この電圧をディジタル信号として制御ユニット４４に送る。この制御ユニットは、信号を分析し、この実施形態では、メモリ（図示せず）に記憶されたモデルを基準にしてクロストーク信号の単数または複数のゼロ交叉を決定する。このゼロ交叉は記憶され、インク滴をこの隣接するダクトから噴射しなければならない場合に、トランスデューサ２６’の制御に際して考慮に入れられる。トランスデューサ２６’の制御は、制御ユニット４４によって開始され、制御ユニット４４は、信号をＤ／Ａコンバータ４５に伝送し、このＤ／Ａコンバータ４５は、信号をアナログ形式でパルス発生器４７に伝送する。最後に、このパルス発生器は、インク滴が対応するダクトから噴射されるように、トランスデューサ２６’を作動するのに適したパルスをトランスデューサ２６’に送る。このように、トランスデューサ２６’には、線４１を介して測定回路と、制御回路とが備えられ、これはこの実施形態では互いに一部が重複している。
【００２５】
この実施形態では、トランスデューサ２６’に独自の測定回路が備えられているだけではなく、対応するプリントヘッドの全ての圧電トランスデューサが、この種類の回路を有している。明解さを保つために、他の測定回路および圧電トランスデューサは図示していない。この実施形態によって、クロストークを考慮に入れるべきか否か、またその作用をいかに補償可能であるかに関するリアルタイムの決定が可能である。
【００２６】
別の実施形態では、プリントヘッドは、数十個、または数百個のトランスデューサ用にわずか１個、または２、３個の測定回路を備えている。この実施形態では、個々のトランスデューサへのクロストークの作用を判定するために、例えば自動的に、またはプリンタの整備の機会に定期的な間隔で全てのトランスデューサをチェックすることが可能である。この情報は、次に画像の印刷の際に考慮される。
【００２７】
別の実施形態では、プリンタ自体は測定回路を含んでおらず、本発明による測定はプリンタの製造時に実施される。ある場合には、実際にクロストークの影響の１回の測定で、プリントヘッドの寿命を通してクロストークの作用を適正に低減し、または除去さえするのに充分な情報を得ることができる。
【００２８】
図４
図４ａおよび図４ｂからなる図４は、この場合は、インク滴がダクトから噴射される速度である滴の特性に及ぼす可能性がある、クロストークの作用を示している。図４ａは、特定のインクダクトＫ（図示せず）についての時間（任意単位）に対する毎秒の噴出速度をメートルで示している。この曲線は、ｔ＝０からｔ＝ｔＥの期間に、この場合は１５ｋＨｚである高い周波数で、このダクトからインク滴を噴射することによって得られる。滴の速度は、先行技術から一般に知られているストロボスコープを使用して測定することができる。図４ａの場合は、滴は、ｔ＝０からｔ＝ｔＥの間、常に約１０ｍｓの速度で噴射される。このことは、他のダクトの作動には顕著な影響はないことを意味している。
【００２９】
図４ｂの曲線は、同じダクトＫの滴噴射速度を示している。しかしこの場合は、ダクトＫが作動した後、直接隣接したダクトも短時間または長時間にわたって作動される。ｘ軸はダクトＫの作動と、隣接するダクトの作動との間の時間ｔを示している。この時間ｔは遅延とも呼ばれる。双方のダクトが同時（ｔ＝０）に作動した場合は、ダクトＫの滴噴射速度にはかなりの作用がある。これはこのダクト内の寄生音響波、すなわちクロストークの結果である。遅延が長引くと、隣接するダクトの作動の影響は低下する。この場合、遅延の関数としての滴の速度は、ｔ＝ｔＥで完全に減衰する正弦曲線となる。そこで、隣接するダクトの作動の顕著な影響はもはやない。次に滴の噴射プロセスは、明らかに完全に終了するので、隣接するダクトの作動はそれ以上の作用を持ちえない。ある時間、すなわちｔ１からｔ６では、少なくとも滴の噴射速度に関しては、クロストークの顕著な作用はないことが判る。これらの時間で、噴射速度は勿論、クロストークが全くない場合に適用できる速度と同一である。これらの時間はゼロ交叉と呼ばれる。これらの時間の位置は、印刷中に考慮に入れることができる。この種類のゼロ交叉時間に滴を噴射させることによって、実際にクロストークの顕著な影響はなく、したがって印刷のアーティファクトのニードフォームがない。他の滴特性（例えば滴のサイズ、滴の形状等）のゼロ交叉は、必ずしも同じ場所にある必要はないことに留意する必要がある。そのような場合は、クロストークは依然として作用する。しかし、最も支配的な特性、すなわち例えば特定の用途での滴の速度のゼロ交叉時に噴射することによって、クロストークの顕著な作用は、事実上完全に、または完璧にさえ除去されることができる。
【００３０】
クロストークに起因する視認できる印刷のアーティファクトが生じないゼロ交叉時ｔ１からｔ６以外の時間が、おそらくは存在することに留意されたい。これらの時間は、測定された電気信号に対して印刷された画像自体を分析することによって判定することができる。
【図面の簡単な説明】
【００３１】
【図１】インクジェットプリンタを示す図である。
【図２】インクジェットプリントヘッドを示す図である。
【図３】本発明による方法を適用できる回路図である。
【図４】滴の速度に対する可能性のあるクロストークの結果を示すグラフである。
【符号の説明】
【００３２】
１　ローラ
２　受け取り媒体
３　キャリッジ
４、５　ロッド
１０　プリントヘッド
１２　ダクト板
１４　出口
１６　インクダクト
１８　ダム
２０　板
２２　溝
２４　リブ
２６、２８　フィンガ
２６’　トランスデューサ
３０　ブロック
３２　キャリヤ部材
３４　棒
３６　横棒
４０　パルス発生器
４１、４６　線
４２　抵抗
４３　Ａ／Ｄコンバータ
４４　制御ユニット
４５　Ｄ／Ａコンバータ
４７　パルス発生器
Ｋ　ダクト
【図１】
2004034700.tif 000003
【図２】
2004034700.tif 000004
【図３】
2004034700.tif 000005
【図４】
2004034700.tif 000006
【外国語明細書】
2004034700.tif 000007
2004034700.tif 000008
2004034700.tif 000009
2004034700.tif 000010
2004034700.tif 000011
2004034700.tif 000012
2004034700.tif 000013
2004034700.tif 000014
2004034700.tif 000015
2004034700.tif 000016
2004034700.tif 000017
2004034700.tif 000018
2004034700.tif 000019
2004034700.tif 000020
2004034700.tif 000021
2004034700.tif 000022
2004034700.tif 000023